(57)【要約】【課題】開口率を大きく取れ、耐摩耗性に優れており、篩効率が高く、しかも金属片による破損の恐れの少ない強振動型篩網を提供する。【解決手段】複数本の横線材１１〜２３と複数本の縦線材２４〜２８とを交叉配置した篩網であって、横線材１１〜２３はピアノ線等の硬質材からなって、原料の搬送方向２９に沿って配置され、縦線材２４〜２８はウレタンゴム等の弾性を有する軟質材からなる。従って、硬質材の使用により開口率及び耐摩耗性が向上すると共に、軟質材の減少により破損の恐れが減少し、篩効率のアップにつながる。【選択図】　　　　図１
2004066115.tif 000002
【特許請求の範囲】
【請求項１】
複数本の横線材と複数本の縦線材とを交叉配置した篩網であって、
前記横線材は硬質材からなって、原料の搬送方向に沿って配置され、前記縦線材は弾性を有する軟質材からなることを特徴とする強振動型篩網。
【請求項２】
請求項１記載の強振動型篩網において、前記横線材は前記縦線材に貫通して固定されていることを特徴とする強振動型篩網。
【請求項３】
請求項１及び２のいずれか１項に記載の強振動型篩網において、隣り合う前記縦線材の対向する面間の一部の前記横線材には、管状のスペーサ部材が挿通して設けられ、隣り合う前記縦線材の横移動を防止することを特徴とする強振動型篩網。
【請求項４】
請求項１〜３のいずれか１項に記載の強振動型篩網において、前記軟質材中には補強用の金属製の撚り線が混入されていることを特徴とする強振動型篩網。
【発明の詳細な説明】
【０００１】
【発明の属する技術分野】
本発明は、例えば、砕石等の篩機に使用する篩網であって、複数本の金属製の硬質の横線材と複数本の弾性を有する軟質の縦線材とを交叉配置して形成した強振動型篩網に関する。
【０００２】
【従来の技術】
従来、砕石等の篩機に使用する強振動型篩網としては、例えば、柔軟性を有する特殊合成ゴムシートに篩目を打ち抜いた形態のものが使用されている。強振動型篩網は、微細な振動を受けると同時に上下動する構造であり、この上下動の移動に対応するため、数ｍｍの伸縮に耐える特殊合成ゴム等の軟質材からなり、しかも、ある程度の耐摩耗性を有している。
【０００３】
【発明が解決しようとする課題】
しかしながら、従来の強振動型篩網においては、未だ解決すべき以下のような問題があった。
ゴムシートに篩目を打ち抜いた構造のため、篩目の開口率（開孔率）が低く（３０〜４５％）なり、篩い作業性が劣るという問題があった。
また、柔軟性を有する特殊合成ゴムのため、硬い金属に比較して耐摩耗性が劣り、このため、寿命が短いという問題があった。また、金属に比較して、振動の伝搬が悪く、このため篩効率が低かった。
さらに、砕石中に混入した金属片により合成ゴムに傷が入り易く、この傷を介して破損、損傷が発生するという問題もあった。
【０００４】
本発明はかかる事情に鑑みてなされたもので、開口率を大きく取れ、耐摩耗性に優れており、篩効率が高く、しかも金属片による破損の恐れの少ない強振動型篩網を提供することを目的とする。
【０００５】
【課題を解決するための手段】
前記目的に沿う本発明に係る強振動型篩網は、複数本の横線材と複数本の縦線材とを交叉配置した篩網であって、横線材は硬質材からなって、原料の搬送方向に沿って配置され、縦線材は弾性を有する軟質材からなる。これによって、弾性を有する軟質材からなる複数本の縦線材を介して複数本の横線材は上下動し、硬質材からなる横線材により原料の大部分を支持すると共に、原料の搬送方向に沿って配置された隣り合う横線材間から原料を篩い分離することができる。
本発明に係る強振動型篩網において、横線材は縦線材に貫通して固定することもできる。これによって、簡単に組み立てることができ、しかも、横線材と縦線材とが分離し難い。
【０００６】
本発明に係る強振動型篩網において、隣り合う縦線材の対向する面間の一部の横線材には、管状のスペーサ部材が挿通して設けられ、隣り合う縦線材の横移動を防止することもできる。これによって、横線材と縦線材との固定が解けたとしても、スペーサ部材により縦線材のズレを防止できる。
本発明に係る強振動型篩網において、軟質材中には補強用の金属製の撚り線を混入することもできる。これによって、軟質材を補強して原料中の金属片等により破損、損傷することを防止することができる。
【０００７】
【発明の実施の形態】
続いて、添付した図面を参照しつつ、本発明を具体化した実施の形態につき説明し、本発明の理解に供する。
ここに、図１は本発明の一実施の形態に係る強振動型篩網の斜視図、図２は同強振動型篩網の振動形の説明図、図３は同強振動型篩網の変形例の斜視図である。
【０００８】
図１に示すように、本発明の一実施の形態に係る強振動型篩網１０は、複数本（本実施の形態では１３本）の横線材１１〜２３と、複数本（本実施の形態では５本）の縦線材２４〜２８とを交叉配置した篩網である。この強振動型篩網１０は、原料の搬送方向２９に沿って等ピッチＰで配置され、硬質材の一例である高炭素鋼からなる横線材１１〜２３と、原料の搬送方向２９に直交して等ピッチＴで配置され、弾性を有する軟質材の一例であるウレタンゴムからなる縦線材２４〜２８と、縦線材２４〜２８の上流端同士、下流端同士が連結され、篩機の取付台（図示せず）に取付可能な弾性を有する軟質材の一例であるウレタンゴムからなる上流側、下流側取付部３０、３１とを有している。以下、これらについて詳しく説明する。
【０００９】
横線材１１〜２３は実質直線状となって、高炭素を含有した耐摩耗性に優れるピアノ線材又は硬鋼線材からなっており、横線材１１〜２３は外径ｄ（例えば、１〜６ｍｍ程度）、長さＬ（例えば、１２００〜３０００ｍｍ程度）である。横線材１１〜２３の両端部はそれぞれ、縦線材２４、２８の外側には突出していない。
縦線材２４〜２８のサイズは幅Ｂ、長さＮ、厚さｔ（ｔ＝１．５〜２．５ｄ）で、実質直線状となっており、横線材１１〜２３は縦線材２４〜２８の厚さｔ方向の下部に形成された貫通孔に貫通して、接着剤等により固定されている。
【００１０】
縦線材２４〜２８の材質は、ウレタンゴムの他、摩耗に強く弾性を有する合成樹脂材（例えば、ナイロン、ポリプロピレン）を使用することもできる。なお、縦線材２４〜２８の強度及び剛性を高めるために、軟質材中には補強用の金属製の撚り線が混入されている。
【００１１】
上流側、下流側取付部３０、３１のサイズは幅ｂ、長さｎ、厚さｔで、実質直線状となっており、上流側、下流側取付部３０、３１の内側面は、接着剤により縦線材２４〜２８の両端面に一体的に接合されている。上流側、下流側取付部３０、３１にはそれぞれ、長さ方向（原料の搬送方向２９に直交する方向）に等ピッチＴで取付用のボルト孔３２が４箇所厚さ方向に形成されている。上流側取付部３０のボルト孔３２と下流側取付部３１のボルト孔３２との間の距離はＫである。なお、篩機の取付台には強振動型篩網１０に振動を付与する加振機が設けられている。
【００１２】
次いで、本発明の一実施の形態に係る強振動型篩網１０の作用について、図２を参照しながら説明する。
加振機の駆動により強振動型篩網１０が図２に示すように、上流側、下流側取付部３０、３１のボルト孔３２の位置を固定端として片振幅ｐで上下方向に振動する。即ち、上流側、下流側取付部３０、３１の内側に連結された縦線材２４〜２８には、両端固定の弾性梁としての横振動が生じる。この横振動の際、縦線材２４〜２８に固定された各横線材１１〜２３は、縦線材２４〜２８の動き（上下、伸縮変形）に合わせて上下動し、しかも各横線材１１〜２３には上下の振動に基づく変形力は理論的には加わらない。即ち、縦線材２４〜２８の上下動の移動に関係なく、横線材１１〜２３は変形することなく、縦線材２４〜２８と共に上下動する。
【００１３】
縦線材２４〜２８の片振幅ｐは、上流側、下流側取付部３０、３１のボルト孔３２間の距離Ｋに比べて極めて小さく、例えば、Ｋ＝１０００ｍｍに対してｐ＝５ｍｍ程度であり、縦線材２４〜２８の上下動に伴う隣り合う横線材１１〜２３間の目開きは実質的に一定であると考える。なお、片振幅ｐは上流側、下流側取付部３０、３１及び縦線材２４〜２８の線密度（ｋｇｓ２　／ｍ２　）や作用している張力の大きさや距離Ｋ、さらに処理する原料の量等により決定される。
【００１４】
従って、弾性を有する軟質材からなる上流側、下流側取付部３０、３１及び縦線材２４〜２８を介して、硬質材からなる剛性及び強度の大きい横線材１１〜２３を上下動させて振動しながら大部分の原料を横線材１１〜２３で支持し、横線材１１〜２３で構成される篩目を介して原料を篩い分けすることができる。
このように、強振動型篩網１０においては、従来のように軟質材だけてはなく、軟質材と硬質材とを組み合わせて設け、篩面の大部分に硬質材を使用しているので、開口率が向上（５０〜６５％）し、耐摩耗性が向上すると共に、軟質材の減少により破損や損傷の恐れが減少する。さらに、硬質材の使用により原料に振動が効率よく伝達されるので、篩効率がアップする。
【００１５】
図３に本発明の一実施の形態に係る強振動型篩網１０の変形例である強振動型篩網４０を示す。なお、強振動型篩網１０と同一の構成要素については、同一の符号を付して詳しい説明を省略する。
強振動型篩網４０は、強振動型篩網１０において開口率をアップするために、縦線材２５、２７を取り除き、隣り合う縦線材２４、２６の対向する面間の横線材１３、１９、及び隣り合う縦線材２６、２８の対向する面間の横線材１６、２２に、管状のスペーサ部材４１が挿通して設けられており、スペーサ部材４１により隣り合う縦線材２４、２６及び隣り合う縦線材２６、２８の横移動を防止することを特徴としている。
【００１６】
スペーサ部材４１は管状となってそれぞれ、横線材１３、１６、１９、２２に挿通されている。スペーサ部材４１の内径は横線材１３、１６、１９、２２の外径ｄより少し大きく（１．１〜１．５ｄ程度）、スペーサ部材４１の外径はスペーサ部材４１を装着時、スペーサ部材４１の最上端位置が縦線材２４、２６、２８の上面より低い位置となる大きさとしている。スペーサ部材４１の材質としては、プラスチック管、ゴム管、金属管、コイルスプリング（特に、ハイカーボンのスプリング、重荷重用の角線スプリング）があり、特に耐摩耗性を有する材料を使用するのが好ましい。また、スペーサ部材４１の長さは、例えば、３〜１０ｃｍである。
【００１７】
強振動型篩網４０は強振動型篩網１０に比べて、隣り合う縦線材２４、２６間及び隣り合う縦線材２６、２８間の距離が約２倍となって大きいため、スペーサ部材４１が無い場合には、搬送、搭載される原料により縦線材２４、２６、２８が横線材１１〜２３に沿ってズレて目崩れを発生し易くなるが、スペーサ部材４１を装着することによって、縦線材２４、２６、２８の横移動を確実に防止できる。なお、強振動型篩網４０においても強振動型篩網１０と同様の作用、効果を奏するので、説明を割愛する。
【００１８】
本発明は前記した実施の形態に限定されるものではなく、本発明の要旨を変更しない範囲での変更は可能であり、例えば、前記したそれぞれの実施の形態や変形例の一部又は全部を組み合わせて本発明の強振動型篩網を構成する場合にも本発明は適用される。
前記実施の形態においては、直線状の横線材１１〜２３を直線状の縦線材２４〜２８の貫通孔に貫通して固定したが、これに限定されず、必要に応じて、その他の方法又は構造で横線材と縦線材とを固定することもできる。例えば、複数本の横線材及び縦線材を長さ方向に沿って凹凸を形成して、織網構造として横線材と縦線材とを固定することもできる。また、横線材と縦線材とを固定することなく、例えば、横線材は縦線材の貫通孔に対して周方向に摺動するが、横移動できない構造とすることもでき、これにより、伸縮する軟質材からなる縦線材に無理な力を加えて破損させる恐れを軽減できる。
【００１９】
横線材１１〜２３を断面円形としたが、これに限定されず、状況に応じて、断面が三角形、四角形、多角形又は楕円形とし、この断面形状に対応して縦線材の貫通孔の断面形状を形成することもできる。
強振動型篩網４０において、スペーサ部材４１を横線材１３、１６、１９、２２に設けたが、これに限定されず、隣り合う縦線材の横移動を防止できるなら、その他の横線材の一部に装着することもできる。通常、原料の搬送方向に沿って配置された横線材の１０〜３０本当たり１個のスペーサ部材４１を設けている。
【００２０】
縦線材２４〜２８の剛性及び強度をアップするために、軟質材中に補強用の金属製の撚り線を混入したが、これに限定されず、必要に応じて、撚り線を省略しても構わない。
ウレタンゴムからなる縦線材２４〜２８と上流側、下流側取付部３０、３１とを接着剤で接合したが、これに限定されず、一体物から切り出すこともできる。また、上流側、下流側取付部３０、３１をウレタンゴム（軟質材）としたが、これに限定されず、縦線材２４〜２８と接合でき、しかも軟質材と強固に接合可能であれば、その他の材質（例えば、金属材料）でも構わない。
【００２１】
【発明の効果】
請求項１〜４記載の強振動型篩網においては、弾性を有する軟質材からなる複数本の縦線材を介して複数本の横線材は上下動し、硬質材からなる横線材により原料の大部分を支持すると共に、原料の搬送方向に沿って配置された隣り合う横線材間から原料を篩い分離することができるので、硬質材の使用により開口率及び耐摩耗性が向上すると共に、軟質材の減少により破損の恐れが減少し、篩効率のアップにつながる。
特に、請求項２記載の強振動型篩網においては、簡単に組み立てることができるので、作業が簡略化されると共に、横線材と縦線材とが分離し難いので、安定した篩い作業が確保できる。
【００２２】
請求項３記載の強振動型篩網においては、横線材と縦線材との固定が解けたとしても、スペーサ部材により縦線材のズレを防止できるので、安定した篩い作業ができる。
請求項４記載の強振動型篩網においては、軟質材中には補強用の金属製の撚り線を混入するので、軟質材を補強して原料中の金属片等により破損、損傷することを防止することができる。
【図面の簡単な説明】
【図１】本発明の一実施の形態に係る強振動型篩網の斜視図である。
【図２】同強振動型篩網の振動形の説明図である。
【図３】同強振動型篩網の変形例の斜視図である。
【符号の説明】
１０：強振動型篩網、１１〜２３：横線材、２４〜２８：縦線材、２９：搬送方向、３０：上流側取付部、３１：下流側取付部、３２：ボルト孔、４０：強振動型篩網、４１：スペーサ部材
【図１】
2004066115.tif 000003
【図２】
2004066115.tif 000004
【図３】
2004066115.tif 000005